(57)【要約】【課題】電話機で視聴中のテレビ放送の画面を切り替えることができる構内電話システムを提供する。【解決手段】主装置に、デジタルチューナー１８と、デジタルチューナー１８の復調出力を変換する変換回路１９と、変換された信号をＩＰ電話機へ送信する画像送信手段Ｆ５２とを備え、ＩＰ電話機には、画像表示手段と、受信チャネルを選択する番組選択手段と、選択された情報を主装置へ通知する番組通知手段と、当該ＩＰ電話機の利用者以外を検出するように配置された人感センサー部と、前記人感センサー部が検出すると前記画像表示手段により表示している画像を予め設定した画面表示に変更する画面変更手段を備えた。【選択図】図２
2008072296.tif 000002
【特許請求の範囲】
【請求項１】
１以上の外線と複数のＩＰ内線を収容する主装置と、前記ＩＰ内線に接続される動画像表示機能を有するＩＰ電話機とからなる構内電話システムにおいて、
前記主装置に、
テレビ放送を受信する放送受信手段と、
前記放送受信手段が受信した画像信号をＩＰ電話機で表示できる信号フォーマットへ変換する画像変換手段と、
前記画像変換手段により変換された信号をＩＰ電話機へ送信する画像送信手段とを備え、
ＩＰ電話機には、
前記画像送信手段により送信された信号を受信し画像を表示する画像表示手段と、
当該ＩＰ電話機の利用者以外を検出するように配置された人感センサー部と、
前記人感センサー部が検出すると前記画像表示手段により表示している画像を予め設定した画面表示に変更する画面変更手段を備えた
ことを特徴とする構内電話システム。
【発明の詳細な説明】
【技術分野】
【０００１】
本発明は、動画像を表示する機能を備えた電話機に、テレビ放送を配信することが可能な構内電話システムに関する。
【背景技術】
【０００２】
地上デジタル放送のサービスのひとつで携帯電話機・移動端末（以下、携帯電話等ともいう。）向けの１セグメント部分受信サービス（以下、ワンセグともいう。）が２００６年４月１日から開始された。ワンセグは、携帯電話等でも安定して受信することができるが、当面は放送地域が限定されていることと、携帯電話機とは異なる周波数を使用していることより、携帯電話機の通話可能エリアと、ワンセグが受信可能なエリアは異なるという特質を有している（例えば、特許文献１参照）。
【０００３】
一方、ワンセグを受信するには携帯電話等にワンセグ専用のデジタルチューナーを内蔵する必要があり、単に動画像を表示することができる機能を有する携帯電話等では、ワンセグによるテレビ放送を視聴することができないという現象が発生している。
【０００４】
なお、単に動画像を表示することができる機能を有する携帯電話等に、多種多様な動画像データを配信する技術は開示されているが、これは一度蓄積されたメディアファイルを変換するものであり、テレビ放送のように即時性を要求される動画像表示には適合しないものである（例えば、特許文献２参照）。
【０００５】
また、事業所等で使用される構内電話システムにおいて、内線に接続される電話機は、動画像を表示することができる機能を有していたとしてもワンセグ専用のデジタルチューナーを内蔵していないため、テレビ放送を視聴することができないという問題があると共に、当該テレビ放送を同時に配信された場合においても、当該テレビ放送を視聴していることを他人に知られたくないという問題もある。
【特許文献１】特開２００６−０２０１２８号公報
【特許文献２】特開２００３−２３０１１７号公報
【発明の開示】
【発明が解決しようとする課題】
【０００６】
解決しようとする課題は、テレビ放送を動画像表示機能付き電話機で視聴することができる電話システムで、当該電話機に他人が近づいた場合、テレビ放送の視聴を中断し、他の画面表示に切り替えることである。
【課題を解決するための手段】
【０００７】
上記課題を解決するために、本発明は、１以上の外線と複数のＩＰ内線を収容する主装置と、前記ＩＰ内線に接続される動画像表示機能を有するＩＰ電話機とからなる構内電話システムにおいて、前記主装置に、テレビ放送を受信する放送受信手段と、前記放送受信手段が受信した画像信号をＩＰ電話機で表示できる信号フォーマットへ変換する画像変換手段と、前記画像変換手段により変換された信号をＩＰ電話機へ送信する画像送信手段とを備え、ＩＰ電話機には、前記画像送信手段により送信された信号を受信し画像を表示する画像表示手段と、当該ＩＰ電話機の利用者以外を検出するように配置された人感センサー部と、前記人感センサー部が検出すると前記画像表示手段により表示している画像を予め設定した画面表示に変更する画面変更手段を備えた。
【発明の効果】
【０００８】
本発明によれば、テレビ放送を動画像表示機能付きＩＰ電話機で視聴することができる構内電話システムで、当該ＩＰ電話機に他人が近づいた場合、テレビ放送の視聴を中断し、他の画面表示に切り替えることができ、個人の秘密を守るとともに、きわめて経済的な構内電話システムを提供することができる。
【発明を実施するための最良の形態】
【０００９】
以下、本発明の実施形態について説明する。なお、以下の実施形態では、構内電話システムとして、ＩＰ（インターネット・プロトコル）内線を収容することができるボタン電話装置（以下、ＩＰボタン電話装置ともいう。）に適用した場合を例にあげ、主装置と該主装置に接続された有線式のＩＰボタン電話機（以下、ＩＰ電話機ともいう。）を例にあげて説明する。しかし、本発明はこれに限定されない。例えば、ＩＰ内線を収容することができる構内交換機（以下、ＰＢＸともいう。）と該ＰＢＸに接続されたＩＰ電話機、または、ＩＰ電話装置を構成するサーバーと該サーバーに接続されたＩＰ電話機を用いることができる（サーバー機能を内蔵したＩＰ電話機としても良い）。また、有線式のＩＰ電話機の代わりに無線式のＩＰ電話機を用いることができる。
【００１０】
図１は、本発明に係るＩＰボタン電話装置を構成する主装置１０と、ＩＰ電話機２０と、スイッチングＨＵＢ４０と、カラーテレビドアホン等のＬＡＮ接続機器４１（以下、テレビドアホンともいう。）の構成概略図である。図２は、本発明に係る主装置１０の中央制御部１１と、記憶部１６の機能ブロック図である。図３は、本発明に係る主装置１０とＩＰ電話機２０との概略シーケンス図である。図４は、本発明に係る構内電話システムを設置する事務所等の座席配置例を示す図である。
【００１１】
まず、図１を用いて本発明に係るＩＰボタン電話装置を構成する主装置１０と、ＩＰ電話機２０と、スイッチングＨＵＢ４０と、テレビドアホン４１の構成の概要を説明する。ＩＰボタン電話装置は、１以上の外線および複数の内線を収容する主装置１０と、該ボタン電話主装置１０に接続された複数のＩＰ電話機２０−１〜２０−ｎから構成される。
【００１２】
主装置１０は、中央制御部１１と、ハイウェイ１２と、１以上の外線回路１３−１〜１３−ｎと、伝送回路１４と、複数の内線回路１５−１〜１５−ｎと、記憶部１６と、アンテナ１７と、デジタルチューナー１８と、変換回路１９を有して構成される。
【００１３】
中央制御部１１は、主装置１０の各回路からの入力情報（ＩＰ電話機２０からの情報も含む）に対する解析や判断、記憶部１６に対する情報の入出力、各回路の制御を行う。
【００１４】
ハイウェイ１２は、主装置１０内の交換処理（外線１３−１〜１３−ｎと内線１５−１〜１５−ｎの接続、他）を行う。なお、本実施例での主装置１０は、ＩＰ電話機用の内線回路と、い機きＩＰに対応していない従来のボタン電話機等用の内線回路とを混在して収容できる複合型システムとして構成されている。
【００１５】
外線回路１３−１〜１３−ｎは、外線に接続されるインタフェース回路である。なお、本実施例で開示している外線とは、一般公衆回線、ＩＰ電話事業者の回線、専用線、私設線、携帯電話等の無線使用回線（無線／有線変換アダプタ使用）、等も含まれる。
【００１６】
伝送回路１４は、ＩＰ電話機２０−１〜２０−ｎと各種制御データの通信、およびＩＰ電話機２０−１〜２０−ｎへ画像表示データ（ＭＰＥＧ−４）を配信するためのインタフェース回路である。
【００１７】
内線回路１５−１〜１５−ｎは、ＩＰ電話機２０−１〜２０−ｎと音声データの通信を行うためのインタフェース回路である。また、前述の通り、ＩＰに対応していない従来のボタン電話機用の内線回路を混在して収容できる構成としているが、公知技術であるため説明は省略する。
【００１８】
記憶部１６は、通常の記憶部としての働きの他に、各ＩＰ電話機毎に予め設定された優先順位情報、デジタルテレビ放送の受信チャネル情報、当該受信チャネル情報を選択したＩＰ電話機の優先順位情報、デジタルテレビ放送を同時に視聴しているＩＰ電話機の数、番組変更拒否数等が記憶される。
【００１９】
アンテナ１７は、デジタルテレビ放送（ＵＨＦ：１３〜６２ｃｈ）を受信するためのアンテナであり、主装置１０の上部外周側に設置される。なお、自動車等の移動体でデジタルテレビ放送を受信する場合は、ダイバーシチ方式を採用しており、公知になっているが、ダイバーシチ方式にはこだわらない。また、外部にアンテナを設置しても良い。
【００２０】
デジタルチューナー１８は１つであり、アンテナ１７で受信したワンセグのデジタルテレビ放送の電波を、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）復調アルゴリズムを用いており、中央制御部１１から指定された受信チャネルを復調し、「ＭＰＥＧ−２ＴＳ」で出力する。なお、この出力形式のデジタルチューナーは携帯電話等への適合性を配慮し構成されている。本発明は、経済的にデジタルテレビ放送の受信をすることができる構内電話システムの提供を目的の１つとしているため、極力標準品を採用することとした。また、デジタルチューナーではなく、アナログチューナーを使用しても良い。これらのチューナー部を放送受信手段ともいう。
【００２１】
変換回路１９は、デジタルチューナー１８の復調出力である「ＭＰＥＧ−２ＴＳ」を、ＩＰ電話機２０−１〜２０−ｎの画像表示データ形式である「ＭＰＥＧ−４」へ変換する回路である。なお、デジタルチューナーではなく、アナログチューナーを使用した場合、変換回路１９は、アナログ→デジタル変換を行うこととなる。
【００２２】
また、ＩＰ電話機２０は、制御部記憶部２１と、データ送受信回路２２と、音声処理部２３と、送受話器２４と、スピーカ２５と、ダイヤルキー２６と、外線キー２７と、機能キー２８と、ＬＣＤ２９と、人感センサー３０を有して構成される。
【００２３】
制御部記憶部２１は、ＩＰ電話機２０内の各回路からの入力情報に対する解析や判断、各回路の制御を行う。人感センサー３０の検知を検出すると、画像表示手段であるＬＣＤ２９に表示しているデジタルテレビ放送の画像を、予め設定した画面表示に変更する画面変更手段を有している。また、番組選択手段により選択されたデジタルテレビ放送の受信チャネル情報をデータ送受信回路２２を介して通知する番組通知手段を有している。
【００２４】
データ送受信回路２２は、内線を介して主装置１０と音声データ、制御データの通信、および、画像表示データの受信をするためのインタフェース回路である。なお、画像表示データとしては、スイッチングＨＵＢ４０を介して接続されるカラーテレビドアホン等のＬＡＮ接続機器４１との接続性を考慮し、信号フォーマットとして「ＭＰＥＧ−４」を採用している。
【００２５】
音声処理部２３は、音声のデジタル／アナログ変換、アナログ／デジタル変換と、ＩＰ電話機２０内の送受話器２４やスピーカ２５等との通話パス切替および音量を制御する。
【００２６】
送受話器２４は、一般的な通話時の送話、受話を行うためのハンドセットである。
【００２７】
スピーカ２５は、外線着信音の送出や、スピーカによる拡声受話等に使用する。
【００２８】
ダイヤルキー２６は、電話番号を入力する手段であり、また、ＩＰボタン電話装置において一般的に用いられる各種設定の入力手段としても用いられる。さらに、機能キー２７との組合せ操作により、視聴したいデジタルテレビ放送の受信チャネルを選択する番組選択手段としても用いられる。
【００２９】
外線キー２７は、１以上の外線から使用したい外線を選択するための複数のボタンであり、当該ボタンに対応して外線の状態（着信中、使用中、保留中、他）を表示するＬＥＤ表示器（表示手段）を備えている。
【００３０】
機能キー２８は、複数備えられ、ボタン電話装置で一般的に使用する“保留”ボタン、“拡声受話”ボタン、“設定”ボタン等の入力手段である。また、番組表示手段により表示された受信チャネル変更情報を拒否する番組拒否手段としても用いられる。
【００３１】
ＬＣＤ２９は、着信時には発信者情報等を表示し、発信時にはダイヤルした番号や通話時間等を表示する。また、画像表示手段、番組表示手段としても用いられる。
【００３２】
人感センサー３０は、ＩＰ電話機２０の外周側に設置され、当該ＩＰ電話機の利用者以外を検出するために用いられる。ここで、図４は、本発明に係る構内電話システムが設置される事務所等の座席配置例を示している。一般的に、マネージャーの机があり、それに対応する形で一般職員の机が合い向かい形式で一つの部署を構成している。使用形態の例として、一般職員は、デジタルテレビ放送の視聴は行わず、マネージャーがデジタルテレビ放送の視聴を行う前提で説明する。通常は、デジタルテレビ放送を視聴していることを他人に知られても問題ない番組を視聴することが前提であるが、仮に他人に知られたくない番組を視聴していた場合、図４に示す検知範囲に人が来た場合、これを検出し、デジタルテレビ放送の画像を予め設定した画面表示（例えば、通常の電話機の待機状態表示であるカレンダー表示やメニュー画面等）に変更することで、マネージャー机に他人がさらに接近しても視聴していた内容が解らないようにすることができる。
【００３３】
図２において、スイッチングＨＵＢ４０は、ＬＡＮで使用される一般的なものであり、ＰｏＥ給電機能を備えても良い。主装置１０と、ＩＰ電話機２０−１〜２０−ｎを集線している。なお、スイッチングＨＵＢ４０を介して、カラーテレビドアホン等のＬＡＮ接続機器４１にも接続されている。当該ＬＡＮ接続機器には、パーソナルコンピュータやプリンタ等も含まれることはいうまでもない。
【００３４】
次に、本発明に係る主装置１０の中央制御部１１と、記憶部１６の機能構成を、図２を用いて説明する。主装置１０は、中央制御部１１が、データ送受信手段Ｆ５０と、番組更新手段Ｆ５１と、画像送信手段Ｆ５２と、番組決定手段Ｆ５３と、優先変更手段Ｆ５４と、番組要求手段Ｆ５５と、番組変更要求受付タイマーＦ５６とを有し、記憶部１７に、優先順位手段Ｆ５７と、番組記憶手段Ｆ５８と、同時記憶手段Ｆ５９と、番組変更拒否数Ｆ６０とを有して構成される。
【００３５】
なお、本実施例では、デジタルテレビ放送の受信チャネルを選択する方法として、２つの方式について説明している。一つは、ＩＰ電話機２０−１〜２０−ｎが受信チャネルを指定した場合、先に受信チャネルを指定したＩＰ電話機の優先順位と比較し、同等以上の場合に当該受信チャネルに切り替える方式（以下、優先方式という。）である。もう一つは、ＩＰ電話機２０−１〜２０−ｎが受信チャネルを指定した場合、その受信チャネルを、受信チャネル変更情報（受信チャネル変更要求）として、他のＩＰ電話機へ通知し、当該他のＩＰ電話機から受信チャネル変更を拒否されない場合、または拒否されても、拒否された数が、予め定めた数以下の場合に当該受信チャネルに切り替える方式（以下、拒否権方式という。）である。この２つの方式は、本発明に係る構内電話システムの利用者の要望によりどちらを使用するか選択するが、内線をグループ分けし、グループ内では拒否権方式を使用し、他グループとの間では優先方式を使用するという、いわゆる混在方式として使用しても良い。
【００３６】
データ送受信手段Ｆ５０は、伝送回路１４を経由してＩＰ電話機２０−１〜２０−ｎと制御データの通信を行う。ＩＰ電話機２０−１〜２０−ｎより受信したデータが受信チャネル情報であり、優先方式の場合は、当該受信チャネル情報を番組決定手段Ｆ５３と、優先変更手段Ｆ５４へ通知し、拒否権方式の場合は、当該受信チャネル情報を番組要求手段Ｆ５５へ通知する機能を有している。この場合において、当該受信チャネル情報を選択したＩＰ電話機を以下、第１のＩＰ電話機ともいう。なお、拒否権方式の場合は、番組要求手段Ｆ５５より受信チャネル変更情報の通知を受けると、ＩＰ電話機２０−１〜２０−ｎのうち通知が必要なものにデータを送信する機能を有している。この場合において、受信チャネル変更情報としての番組番号の可視表示とともに、受信チャネル変更情報が表示されることを示す可聴信号送出指示のデータを送信しても良い。
【００３７】
また、データ送受信手段Ｆ５０は、拒否権方式の場合に、ＩＰ電話機２０−１〜２０−ｎより受信したデータが番組変更拒否情報であったときは、番組決定手段Ｆ５３へ通知する機能を有している。この場合において、当該番組変更情報を送出したＩＰ電話機を以下、第２のＩＰ電話機ともいう。
【００３８】
番組更新手段Ｆ５１は、番組決定手段Ｆ５３より受信チャネル情報の通知を受けると、デジタルチューナー１８へ当該受信チャネルの受信を指示すると共に、画像送信手段Ｆ５２へ番組変更を通知し、記憶部１７の番組記憶手段Ｆ５８へ当該受信チャネル情報、および、当該受信チャネル情報を選択したＩＰ電話機２０−１〜２０−ｎ（以下、先使用ＩＰ電話機ともいう。）の優先順位情報を上書きする機能を有している。
【００３９】
画像送信手段Ｆ５２は、番組更新手段Ｆ５１より番組変更の通知を受けると、伝送回路１４が画像表示データの配信を行っていない場合は、ＩＰ電話機２０−１〜２０−ｎへの配信を指示する機能を有している。
【００４０】
番組決定手段Ｆ５３は、優先方式の場合に、データ送受信手段Ｆ５０より受信チャネル情報の通知を受けると、当該受信チャネル情報を選択したＩＰ電話機２０−１〜２０−ｎ（以下、選択ＩＰ電話機ともいう。）に対応する優先順位情報を記憶部１６の優先順位手段Ｆ５７より検索し、当該優先順位情報と、記憶部１６の番組記憶手段Ｆ５８に記憶されている先使用ＩＰ電話機の優先順位情報とを比較し、選択ＩＰ電話機の優先順位が、先使用ＩＰ電話機の優先順位と同等以上の場合は、当該受信チャネル情報を番組更新手段Ｆ５１へ通知する機能を有している。
【００４１】
また、番組決定手段Ｆ５３は、拒否権方式の場合に、データ送受信手段Ｆ５０より番組変更拒否情報の通知を受けると、第１のＩＰ電話機、および、第２のＩＰ電話機に対応する優先順位情報を記憶部１６の優先順位手段Ｆ５７より検索し、第１のＩＰ電話機に対応する優先順位情報と、第２のＩＰ電話機に対応する優先順位情報とを比較し、第２のＩＰ電話機の優先順位が第１のＩＰ電話機の優先順位と同等である場合は、記憶部１６の番組変更拒否数Ｆ６０を加算（更新）し、第２のＩＰ電話機の優先順位が第１のＩＰ電話機の優先順位を超えている場合は、記憶部１６の番組変更拒否数Ｆ６０を特定値（例えば、最大値）に更新する機能を有している。なお、上述した特定値は、最大値としたが、１／３、または、１／２等でも良く、利用者の意思により適宜変更しても良い。また、昼、夜、深夜等の時間帯によって変化させても良い。
【００４２】
さらに、番組決定手段Ｆ５３は、番組変更要求受付タイマーＦ５６より計測満了の通知を受けると、記憶部１６の同時記憶手段Ｆ５９の値と、番組変更拒否数Ｆ６０の値とを比較し、番組変更拒否数Ｆ６０の値が同時記憶手段Ｆ５９の値の１／２以下である場合は、第１のＩＰ電話機が選択した受信チャネル情報を番組更新手段Ｆ５１へ通知する機能を有している。なお、上述した判定値は、１／２以下としたが、２／３以下、または、１／３以下等でも良く、利用者の意思により適宜変更しても良い。また、昼、夜、深夜等の時間帯によって変化させても良い。
【００４３】
優先変更手段Ｆ５４は、優先方式の場合に、データ送受信手段Ｆ５０より通知される受信チャネル情報を監視し、受信チャネル情報の通知が一定時間（例えば、１０分間）なかった場合、優先順位の低いＩＰ電話機２０−１〜２０−ｎでも受信チャネル変更ができるように、記憶部１６の番組記憶手段Ｆ５８に記憶されている先使用ＩＰ電話機の優先順位情報を最下位の優先順位に更新する機能を有している。なお、上述した一定時間は、例えば、昼は１０分間、夜は３０分間、深夜は１時間、などと時間帯によって変化する構成としても良い。
【００４４】
番組要求手段Ｆ５５は、拒否権方式の場合に、データ送受信手段Ｆ５０より受信チャネル情報の通知を受けると、当該受信チャネル情報と、記憶部１６の番組記憶手段Ｆ５８に記憶されている受信チャネル情報とを比較し、受信チャネルが同一以外の場合は、第２のＩＰ電話機へ受信チャネル変更情報を通知する機能を有している。また、番組要求手段Ｆ５５は、番組変更要求受付タイマーＦ５６へ計測開始を通知するとともに、記憶部１６の番組変更拒否数Ｆ６０を初期化（消去等）する機能を有している。さらに、番組要求手段Ｆ５５は、データ送受信手段Ｆ５０より受信チャネル情報の通知を受けると、その時点でデジタルテレビ放送を視聴しているＩＰ電話機２０−１〜２０−ｎの数を同時視聴数として記憶部１６の同時記憶手段Ｆ５９を上書きする機能を有している。
【００４５】
番組変更要求受付タイマーＦ５６は、番組要求手段Ｆ５５より計測開始の通知を受けると計測を開始し、計測が満了（例えば、１０秒間）すると、番組決定手段Ｆ５３へ計測満了を通知する機能を有している。
【００４６】
記憶部１６の優先順位手段Ｆ５７は、ＩＰ電話機２０−１〜２０−ｎに対応した優先順位情報が予め設定され記憶されている。優先順位情報の例としては、優先順位が高い順に説明すると、Ａ：営業所長、Ｂ：営業リーダー、Ｃ：一般営業マン、Ｄ：一般事務職、のように順位付けする。
【００４７】
記憶部１６の番組記憶手段Ｆ５８は、現在配信中のデジタルテレビ放送の受信チャネル情報と、先使用ＩＰ電話機の優先順位情報を記憶している。
【００４８】
記憶部１６の同時記憶手段Ｆ５９は、デジタルテレビ放送を同時に視聴しているＩＰ電話機２０−１〜２０−ｎの数を記憶している。
【００４９】
記憶部１６の番組変更拒否数Ｆ６０は、第２のＩＰ電話機から通知された番組変更拒否情報の数を記憶している。
【００５０】
図３は、主装置１０と、ＩＰ電話機２０−１〜２０−ｎとの概略シーケンス図であり、上部が優先順位方式の場合を示し、下部が拒否権方式の場合を示す。
【００５１】
図４は、すでに説明済みである。
【図面の簡単な説明】
【００５２】
【図１】本発明に係るＩＰボタン電話装置を構成する主装置１０と、ＩＰ電話機２０と、スイッチングＨＵＢ４０と、カラーテレビドアホン等のＬＡＮ接続機器４１（以下、テレビドアホンともいう。）の構成概略図
【図２】本発明に係る主装置１０の中央制御部１１と、記憶部１６の機能ブロック図
【図３】本発明に係る主装置１０とＩＰ電話機２０との概略シーケンス図
【図４】本発明に係る構内電話システムを設置する事務所等の座席配置例を示す図
【符号の説明】
【００５３】
１０    主装置
１１    中央制御部
１２    ハイウェイ
１３    外線回路
１４    伝送回路
１５    内線回路
１６    記憶部
１７    アンテナ
１８    デジタルチューナー
１９    変換回路
２０    ＩＰ電話機
２１    制御部記憶部
２２    データ送受信回路
２３    音声処理部
２４    送受話器
２５    スピーカ
２６    ダイヤルキー
２７    外線キー
２８    機能キー
２９    ＬＣＤ
３０    人感センサー
４０    スイッチングＨＵＢ
４１    カラーテレビドアホン等のＬＡＮ接続機器
Ｆ５０  データ送受信手段
Ｆ５１  番組更新手段
Ｆ５２  画像送信手段
Ｆ５３  番組決定手段
Ｆ５４  優先変更手段
Ｆ５５  番組要求手段
Ｆ５６  番組変更要求受付タイマー
Ｆ５７  優先順位手段
Ｆ５８  番組記憶手段
Ｆ５９  同時記憶手段
Ｆ６０  番組変更拒否数
【図１】
2008072296.tif 000003
【図２】
2008072296.tif 000004
【図３】
2008072296.tif 000005
【図４】
2008072296.tif 000006